【手続補正書】
【提出日】令和3年7月19日(2021.7.19)
【手続補正１】
【補正対象書類名】明細書
【補正対象項目名】０１１６
【補正方法】変更
【補正の内容】
【０１１６】
特定の実施形態によれば、前記花序は花床苞葉（鱗片）が存在するため緑色である（本明細書に記載される低太陽放射下で栽培／選別されない前記親よりも小片の小花により長い花床苞葉が付随する）。例となる系統は２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０２の番号で種子が寄託されたＳＢ−１７−１６３５である。
【手続補正２】
【補正対象書類名】明細書
【補正対象項目名】０１９５
【補正方法】変更
【補正の内容】
【０１９５】
本明細書において言及された全ての刊行物、特許、及び特許出願は各々個々の刊行物、特許、又は特許出願が特異的、且つ、個別に参照により本明細書に援用されると表示される場合と同じ程度で全体が参照により本明細書に援用される。加えて、本願書におけるあらゆる参照文献の引用又は特定は、当該参照文献が本発明の先行技術として利用可能であることの自認とは解釈されないものとする。節毎の見出しを使用する限り、それらの見出しは必ず限定を意図するものと解釈されるべきではない。
本発明の例示的な態様を以下に記載する。
＜１＞
花序直径が７ｃｍを超えるセイヨウマツムシソウ植物（Ｓｃａｂｉｏｓａ  ａｔｒｏｐｕｒｐｕｒｅａ  ｐｌａｎｔ）。
＜２＞
花柄長が６０ｃｍを超えるセイヨウマツムシソウ植物。
＜３＞
花柄直径が５ｍｍを超えるセイヨウマツムシソウ植物。
＜４＞
花柄長が６０ｃｍを超え、花柄直径が５ｍｍを超える、セイヨウマツムシソウ植物。
＜５＞
花柄長が６０ｃｍを超える、＜１＞に記載の植物。
＜６＞
花柄直径が５ｍｍを超える、＜１＞又は＜５＞に記載の植物。
＜７＞
花柄長が６０ｃｍ未満である、＜１＞に記載の植物。
＜８＞
花柄直径が５ｍｍ未満である、＜１＞又は＜７＞に記載の植物。
＜９＞
前記花序とは前記植物の第１花序をいう、＜１＞又は＜５＞〜＜８＞のいずれか一項＞に記載の植物。
＜１０＞
花序直径が８ｃｍ以上である、＜１＞又は＜５＞〜＜９＞のいずれか一項＞に記載の植物。
＜１１＞
前記花序の含む舌状花は、同じ発生段階にあり且つ対照栽培条件にある前記セイヨウマツムシソウ植物の花序の含む舌状花と比較して、小花数として１０％以上増加している、＜１＞又は＜５＞〜＜１０＞のいずれか一項＞に記載の植物。
＜１２＞
前記花序の含む管状花は、同じ発生段階にあり且つ対照栽培条件にある前記セイヨウマツムシソウ植物の花序の含む管状花と比較して、小花数として１０％以上増加している、＜１＞又は＜５＞〜＜１１＞のいずれか一項＞に記載の植物。
＜１３＞
前記花序の管状花の小花開花と前記花序の舌状花の小花開花が同時に起こる、＜１＞又は＜５＞〜＜１２＞のいずれか一項＞に記載の植物。
＜１４＞
前記花序の管状花の小花開花は前記花序の舌状花の小花開花の２〜３日後に起こる、＜１＞又は＜５＞〜＜１２＞のいずれか一項＞に記載の植物。
＜１５＞
前記花序の管状花の小花開花は前記花序の舌状花の小花開花の３日後に起こる、＜１＞又は＜５＞〜＜１２＞のいずれか一項＞に記載の植物。
＜１６＞
祖先としてラベンダースクープ（商標）、チェリーバニラスクープ（商標）、ブラックベリースクープ（商標）、マシュマロスクープ（商標）、及びバニラスクープ（商標）を有する、＜１＞〜＜１２＞のいずれか一項＞に記載の植物。
＜１７＞
２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２、及び２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７２の番号で種子が寄託されたＳＢ−１６−１５８９からなる群より選択される、＜１＞〜＜１６＞のいずれか一項＞に記載の植物。
＜１８＞
＜１＞〜＜１７＞のいずれか一項＞に記載の植物の一部分。
＜１９＞
花柄、葉、花粉、胚、子葉、胚軸、成長点、根、根端、雌ずい、葯、花、小花、茎、胚珠、種子、及び葉柄からなる群より選択される、＜１８＞に記載の植物の一部分。
＜２０＞
＜１＞〜＜１７＞のいずれか一項＞に記載の植物の花。
＜２１＞
切り花である、＜２０＞に記載の花。
＜２２＞
＜１＞〜＜１７＞のいずれか一項＞に記載の植物の花粉。
＜２３＞
＜１＞〜＜１７＞のいずれか一項＞に記載の植物の種子。
＜２４＞
＜１＞〜＜１７＞のいずれか一項＞に記載の植物の胚珠。
＜２５＞
＜１＞〜＜１７＞のいずれか一項＞に記載の植物の挿し穂。
＜２６＞
＜１＞〜＜１７＞のいずれか一項＞に記載の植物の細胞を含む組織培養物。
＜２７＞
ハイブリッド植物体である、＜１＞〜＜１７＞のいずれか一項＞に記載の植物、又は植物の部分。
＜２８＞
自殖植物体である、＜１＞〜＜１７＞のいずれか一項＞に記載の植物、又は植物の部分。
＜２９＞
（ａ）低太陽放射条件（reduced solar radiation conditions）を生じさせるための覆いの下でセイヨウマツムシソウ植物体群を栽培すること、及び
（ｂ）同じ発生段階にあり且つ対照栽培条件にある前記セイヨウマツムシソウ植物体群よりも直径、花柄長及び／又は花柄直径が大きい花序を示す植物体を、前記植物体群から選別すること
を含む、＜１＞〜＜２８＞のいずれか一項＞に記載の植物を開発する方法。
＜３０＞
一つ又は複数の前記植物体を自殖又は交雑させること、並びに、直径、花柄長及び／又は花柄直径がより大きい前記花序について選別することをさらに含む、＜２９＞に記載の方法。
＜３１＞
前記花序の含む舌状花は、同じ発生段階にあり且つ対照栽培条件にある前記セイヨウマツムシソウ植物の花序の含む舌状花と比較して、小花数として１０％以上増加している、＜２９＞又は＜３０＞に記載の方法。
＜３２＞
前記花序の含む管状花は、同じ発生段階にあり且つ対照栽培条件にある前記セイヨウマツムシソウ植物の花序の含む管状花と比較して、小花数として１０％以上増加している、＜２９＞又は＜３０＞に記載の方法。
＜３３＞
より大きい花柄直径を有する花序について選別を行うことをさらに含む、＜３０＞に記載の方法。
＜３４＞
前記栽培は２５℃以下の温度の下で行われる、＜２９＞〜＜３３＞のいずれか一項＞に記載の方法。
＜３５＞
前記栽培は温室又はトンネルの中で行われる、＜２９＞〜＜３４＞のいずれか一項＞に記載の方法。
＜３６＞
前記温室又はトンネルはポリエテンフィルムで覆われている、＜３５＞に記載の方法。
＜３７＞
前記ポリエチレンシートはイスラエルのＧｅｎｉｇａｒ社の「サン・セレクター」ＡＶ  ｔｈｅｒｍａｌ  ＩＲ、Ｃ４００  ＩＲ  ＡＶ  ＤＩＦＦ−１２０ミクロンと実質的に同じ仕様を有する、＜３６＞に記載の方法。
＜３８＞
前記低放射（reduced radiation）は、前記温室又はトンネルを通過する太陽放射のうちのＰＡＲ放射が４０％以上削減されている放射である、＜３５＞〜＜３７＞のいずれか一項＞に記載の方法。
＜３９＞
前記低放射は、前記温室又はトンネルを通過する太陽放射のうちのＵＶ放射が９０％以上削減されている放射である、＜３５＞〜＜３８＞のいずれか一項＞に記載の方法。
＜４０＞
＜２９＞〜＜３９＞のいずれか一項＞に記載の方法によって得られるセイヨウマツムシソウ植物。
＜４１＞
（ａ）＜１＞〜＜２８＞のいずれか一項のセイヨウマツムシソウ植物と、該セイヨウマツムシソウ植物とは異なる遺伝的バックグラウンドを有する別の＜１＞〜＜２８＞のいずれか一項のセイヨウマツムシソウ植物とを、交雑すること、；
（ｂ）前記交雑の後に種子群を回収すること；
（ｃ）前記種子群を播種し、前記種子群を植物体群に栽培すること；及び
（ｄ）ハイブリッド植物体を選別すること
を含む、セイヨウマツムシソウ植物を作製する方法。
＜４２＞
前記選別は花序直径、花柄長及び／又は花柄直径に基づいて行われる、＜４１＞に記載の方法。
＜４３＞
＜４１＞又は＜４２＞に記載の方法によって作製されるハイブリッド植物体又は前記ハイブリッド植物体の一部分。
＜４４＞
自殖育種及び／又は交雑育種のための育種材料源として＜１＞〜＜２８＞のいずれか一項＞に記載の前記植物又は前記植物の一部分を使用することを含む、植物育種技術を用いて栽培植物を開発する方法。
＜４５＞
２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２からなる群より選択される、セイヨウマツムシソウ植物。
【手続補正３】
【補正対象書類名】特許請求の範囲
【補正対象項目名】全文
【補正方法】変更
【補正の内容】
【特許請求の範囲】
【請求項１】
花序直径が７．５ｃｍを超えるセイヨウマツムシソウ植物（Ｓｃａｂｉｏｓａ  ａｔｒｏｐｕｒｐｕｒｅａ  ｐｌａｎｔ）。
【請求項２】
花柄長が６０ｃｍを超える、及び／又は
花柄直径が５ｍｍを超える、セイヨウマツムシソウ植物。
【請求項３】
花柄長が６０ｃｍを超える、請求項１に記載の植物。
【請求項４】
花柄直径が５ｍｍを超える、請求項１又は請求項３に記載の植物。
【請求項５】
花柄長が６０ｃｍ未満である、請求項１に記載の植物。
【請求項６】
花柄直径が５ｍｍ未満である、請求項１又は請求項５に記載の植物。
【請求項７】
前記花序とは前記植物の第１花序をいう、請求項１又は請求項３〜請求項６のいずれか一項に記載の植物。
【請求項８】
花序直径が８ｃｍ以上である、請求項１又は請求項３〜請求項７のいずれか一項に記載の植物。
【請求項９】
前記花序の含む舌状花は、同じ発生段階にあり且つ対照栽培条件にある前記セイヨウマツムシソウ植物の花序の含む舌状花と比較して、小花数として１０％以上増加している；
前記花序の含む管状花は、同じ発生段階にあり且つ対照栽培条件にある前記セイヨウマツムシソウ植物の花序の含む管状花と比較して、小花数として１０％以上増加している；
前記花序の管状花の小花開花と前記花序の舌状花の小花開花が同時に起こる；
前記花序の管状花の小花開花は前記花序の舌状花の小花開花の２〜３日後に起こる；又は
前記花序の管状花の小花開花は前記花序の舌状花の小花開花の３日後に起こる、
請求項１又は請求項３〜請求項８のいずれか一項に記載の植物。
【請求項１０】
祖先としてラベンダースクープ（商標）、チェリーバニラスクープ（商標）、ブラックベリースクープ（商標）、マシュマロスクープ（商標）、及びバニラスクープ（商標）を有する、請求項１〜請求項９のいずれか一項に記載の植物。
【請求項１１】
２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７２の番号で種子が寄託されたＳＢ−１６−１５８９、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９８の番号で種子が寄託されたＳＢ−１５−１５２１、及び２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０２の番号で種子が寄託されたＳＢ−１７−１６３５からなる群より選択される、請求項１〜請求項１０のいずれか一項に記載の植物。
【請求項１２】
請求項１〜請求項１１のいずれか一項に記載の植物の花。
【請求項１３】
切り花である、請求項１２に記載の花。
【請求項１４】
請求項１〜請求項１１のいずれか一項に記載の植物の花粉、種子、胚珠又は挿し穂。
【請求項１５】
ハイブリッド植物体又は自殖植物体である、請求項１〜請求項１１のいずれか一項に記載の植物、又は植物の部分。
【請求項１６】
（ａ）低太陽放射条件（reduced solar radiation conditions）を生じさせるための覆いの下でセイヨウマツムシソウ植物体群を栽培すること、及び
（ｂ）同じ発生段階にあり且つ対照栽培条件にある前記セイヨウマツムシソウ植物体群よりも直径、花柄長及び／又は花柄直径が大きい花序を示す植物体を、前記植物体群から選別すること
を含む、請求項１〜請求項１５のいずれか一項に記載の植物を開発する方法。
【請求項１７】
一つ又は複数の前記植物体を自殖又は交雑させること、並びに、直径、花柄長及び／又は花柄直径がより大きい前記花序について選別することをさらに含む、請求項１６に記載の方法。
【請求項１８】
前記花序の含む舌状花は、同じ発生段階にあり且つ対照栽培条件にある前記セイヨウマツムシソウ植物の花序の含む舌状花と比較して、小花数として１０％以上増加している、又は
前記花序の含む管状花は、同じ発生段階にあり且つ対照栽培条件にある前記セイヨウマツムシソウ植物の花序の含む管状花と比較して、小花数として１０％以上増加している、請求項１６又は請求項１７に記載の方法。
【請求項１９】
より大きい花柄直径を有する花序について選別を行うことをさらに含む、請求項１７に記載の方法。
【請求項２０】
前記栽培は２５℃以下の温度の下で行われる、請求項１６〜請求項１９のいずれか一項に記載の方法。
【請求項２１】
前記栽培は温室又はトンネルの中で行われる、請求項１６〜請求項２０のいずれか一項に記載の方法。
【請求項２２】
前記温室又はトンネルはポリエテンフィルムで覆われている、請求項２１に記載の方法。
【請求項２３】
前記ポリエテンフィルムはイスラエルのＧｅｎｉｇａｒ社の「サン・セレクター」ＡＶ  ｔｈｅｒｍａｌ  ＩＲ、Ｃ４００  ＩＲ  ＡＶ  ＤＩＦＦ−１２０ミクロンと実質的に同じ仕様を有する、請求項２２に記載の方法。
【請求項２４】
前記低太陽放射（reduced solar radiation）は、前記温室又はトンネルを通過する太陽放射のうちのＰＡＲ放射が４０％以上削減されている放射である、又は
前記低太陽放射は、前記温室又はトンネルを通過する太陽放射のうちのＵＶ放射が９０％以上削減されている放射である、請求項２１〜請求項２３のいずれか一項に記載の方法。
【請求項２５】
請求項１６〜請求項２４のいずれか一項に記載の方法によって得られるセイヨウマツムシソウ植物。
【請求項２６】
（ａ）請求項１〜請求項１５のいずれか一項のセイヨウマツムシソウ植物と、該セイヨウマツムシソウ植物とは異なる遺伝的バックグラウンドを有する別の請求項１〜請求項１５のいずれか一項のセイヨウマツムシソウ植物とを、交雑すること、；
（ｂ）前記交雑の後に種子群を回収すること；
（ｃ）前記種子群を播種し、前記種子群を植物体群に栽培すること；及び
（ｄ）ハイブリッド植物体を選別すること
を含む、セイヨウマツムシソウ植物を作製する方法。
【請求項２７】
自殖育種及び／又は交雑育種のための育種材料源として請求項１〜請求項１５のいずれか一項に記載の前記植物又は前記植物の一部分を使用することを含む、植物育種技術を用いて栽培植物を開発する方法。
【請求項２８】
２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９８の番号で種子が寄託されたＳＢ−１５−１５２１、及び２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０２の番号で種子が寄託されたＳＢ−１７−１６３５からなる群より選択される、セイヨウマツムシソウ植物。